(57)【特許請求の範囲】
【請求項１】
床下土壌の上にコンクリートを打って形成したコンクリート土間の土間コンクリートに、ひび割れを先行して生じさせる強度劣弱溝が設けられ、この強度劣弱溝に粒状防蟻剤が充填配置されており、前記強度劣弱溝は、上側の横断面方形溝の溝底の幅方向中央部に小溝が設けられたものからなり、小溝部分においてひび割れが先行して生じるようになされているコンクリート土間における防蟻構造。
【発明の詳細な説明】
【０００１】
【発明の属する技術分野】
本発明は、コンクリート土間における防蟻構造に関する。
【０００２】
【従来の技術及び課題】
建物の床下土壌の防蟻処理は、従来より、土間コンクリートを打つ前に、床下の土壌全面に乳剤状の薬剤を散布することにより行われている。
【０００３】
しかし、これでは、防蟻処理の工事と土間コンクリートの打設工事とのスケジュール調整に難を生じやすく、また、防蟻処理後の土間コンクリートの打設工事によって、防蟻処理した土壌面が荒らされてしまうことがあるなどの問題があった。
【０００４】
そこで、最近、防蟻処理薬剤として粒状のもの（例えば、武田薬品工業株式会社製のファーストガード粒剤（登録商標））を用い、土間コンクリートを打った後に、コンクリート布基礎とコンクリート土間との継ぎ目部分におけるコンクリート土間上にこの粒状剤を敷設する防蟻処理方法が提案されている。
【０００５】
しかし、この薬剤は粒状をしているため散らばりやすく、そのため、コンクリート布基礎とコンクリート土間との継ぎ目部分に所定の厚さと幅にうまく敷設するのが難しく、また、うまく敷設できたとしても、のちに周囲に散らばってしまいやすいという問題があった。
【０００６】
本発明は、上記のような従来の問題点に鑑み、土間コンクリートを打ち込んだ後に防蟻処理を行うことができ、しかも、防蟻処理の工事を適正にかつ容易に行うことができるコンクリート土間における防蟻構造を提供することを課題とする。
【０００７】
【課題を解決するための手段】
上記の課題は、基礎とコンクリート土間との境界部において、コンクリート土間上に前記境界部に沿って延びる溝が設けられ、この溝に防蟻剤が配置されていることを特徴とするコンクリート土間における防蟻構造によって解決される。
【０００８】
この防蟻構造では、床下土壌からのシロアリなどの侵入の主たる経路の一つが基礎とコンクリート土間との境界部であることに着目し、その部分に対して防蟻処理を行うものであり、コンクリート土間の上面側から防蟻処理を行うことができ、従って、土間コンクリートの打込み工事を防蟻処理の工事よりも先行して行うことができる。
【０００９】
しかも、基礎とコンクリート土間との境界部において、コンクリート土間上に前記境界部に沿って延びる溝が設けられ、この溝に防蟻剤を配置する構成としているから、防蟻剤が粒状剤などの薬剤からなる場合であっても、その薬剤を溝に保持させることができ、従って、防蟻処理の工事を適正にかつ容易に行うことができる。また、防蟻剤を多すぎず適量配置することができ、防蟻剤の無駄をなくすことができる。
【００１０】
また、上記の課題は、基礎と土間コンクリートとの継ぎ目部分に弾性シーリング材が設けられているコンクリート土間における防蟻構造によって解決される。
【００１１】
この防蟻構造では、床下土壌からのシロアリなどの侵入の主たる経路の一つである基礎と土間コンクリートとの継ぎ目部分に弾性シーリンク材を設けたものであり、この弾性シーリング材によってシロアリなどの侵入を防ぐことができる。弾性シーリング材の施工は土間コンクリートを打ち込んだ後に行うことができ、弾性シーリング材の施工は容易に行うことができ、また、基礎とコンクリート土間との継ぎ目部分に経年的に開きを生じても、シーリング材の弾力性によってシール状態を維持することができ、シロアリなどの侵入を効果的に防ぐことができる。
【００１２】
ところで、床下土壌からのシロアリなどの侵入のもう一つの経路は、土間コンクリートの収縮によって後発的に生じるひび割れ部分である。しかし、コンクリート土間において、どの部分にひび割れを生じるかを特定するのは難しい。そこで、コンクリート土間に、ひび割れを先行して生じさせる、即ちひび割れを誘発する強度劣弱溝を設け、この強度劣弱溝に防蟻剤を配置するとよい。
【００１３】
この防蟻構造では、コンクリートの収縮によって生じるひび割れが強度劣弱溝において起こり、この溝には防蟻剤が配置されているから、土間コンクリートの収縮、ひび割れによるシロアリなどの侵入を確実に防ぐことができる。もとより、この構造では、土間コンクリートの打込みを防蟻処理工事より先行させることができ、また、防蟻処理は防蟻剤を溝内に配置すればよいので施工を適正かつ容易に行うことができる。
【００１４】
また、コンクリート土間に、ひび割れを先行して生じさせる強度劣弱溝が設けられ、この強度劣弱溝に弾性シーリング材が設けられている場合は、ひび割れ部分を通じてシロアリなどの侵入をこの弾性シーリング材によって確実に防ぐことができる。
【００１５】
【発明の実施の形態】
次に、本発明の実施形態を図面に基づいて説明する。
【００１６】
図１（イ）（ロ）に示す実施形態において、１はコンクリート布基礎、２は床下土壌、３はコンクリート土間であり、コンクリート土間３は、基礎１を施工した後、床下土壌２の上にコンクリートを打って形成したものである。
【００１７】
このコンクリート土間３には、布基礎１との継ぎ目部分である境界部において、この境界部に沿って延びる所定の深さの横断面方形状の溝４が形成されている。溝４は、例えば、土間コンクリート３を打つ前に溝形成予定箇所に型枠を設置し、土間コンクリート３の打込みを行い、そして脱型するなどの方法によって形成することができる。溝４の深さ寸法や幅寸法は、防蟻剤の種類によって決められるが、市販の粒状防蟻剤を使用する場合には、溝深さを例えば１ｃｍ程度、溝幅を例えば５〜１０ｃｍ程度にするとよい。
【００１８】
そして、この溝４の内部には、粒状の防蟻剤５が充填配置されている。防蟻剤５の配置作業は、土間コンクリート３を打ち込み、溝４を形成した後に行われる。即ち、防蟻処理の前に土間コンクリート３の打込みを行うことができ、防蟻処理を先行させることによる不具合を生じさせることがない。しかも、防蟻剤５は溝４内に配置していけばよいので、溝４が防蟻剤５をしっかりと受け止めて保持し、配置作業において防蟻剤５が周囲に散らばってしまうことはなく、きれいにかつ適正に防蟻剤５を配置していくことができる。配置後に防蟻剤５が周囲に散らばるというようなこともない。
【００１９】
上記の防蟻構造では、土間コンクリート３と布基礎コンクリート１との継ぎ目部分に形成した溝４によって防蟻剤５がしっかりと安定良く保持される構造にしているので、この防蟻剤５によって、床下土壌２からのシロアリなどの侵入を確実に防ぐことができる。
【００２０】
図１（ハ）に示す実施形態では、溝４の横断面形状を、コンクリート布基礎１の垂直面６とコンクリート土間３に形成した斜面７とで、三角形状にしたものである。この溝４内に配置した防蟻剤５は、斜面７に沿って溝４の底方へと入り込んでいこうとし、そのため、基礎１と土間コンクリート３との継ぎ目部分に防蟻剤５を確実に集中配置することができる。
【００２１】
図１（ニ）に示す実施形態では、土間コンクリート３と布基礎コンクリート１との継ぎ目部分に、防蟻剤５を配置する溝４が設けられ、更にその下方に溝９がもう一つ設けられ、この下溝９に弾性シーリング材１０が充填されている。床下土壌２からのシロアリなどの侵入をこの弾性シーリング材１０が一次的に防ぎ、また、このシーリング材１０が切れた場合には、防蟻剤５が侵入を二次的に防ぐ。
【００２２】
図２（イ）（ロ）（ハ）はそれぞれ更に他の実施形態を示す。即ち、土間コンクリート３にはコンクリートの収縮作用によってひび割れを生じる。図２（イ）（ロ）（ハ）に示す実施形態は、このひび割れ部分を通じて床下土壌２からシロアリなどが侵入するのを防ぐ防蟻構造についてのものである。
【００２３】
図２（イ）に示す実施形態は、コンクリート土間３の上面に、ひび割れを先行して生じさせる、即ちひび割れを誘発する強度劣弱溝１２が形成され、この溝１２内に粒状防蟻剤５が充填配置されている。溝１２は、上側の横断面方形溝１２ａの溝底の幅方向中央部に小溝１２ｂが設けられ、この小溝１２ｂ部分においてひび割れを先行して生じさせるようになっている。この部分にひび割れを生じてもその上方には、防蟻剤５が存在しているので、床下土壌２からひび割れ部分を通じてシロアリなどが侵入するのを確実に防ぐことができる。
【００２４】
図２（ハ）に示す実施形態は、上記の強度劣弱溝１２における小溝１２ｂ内に弾性シーリング材１０を充填し、上側の横断面方形溝１２ａに粒状防蟻剤５を充填配置したものである。床下土壌２からひび割れ部分を通じたシロアリなどの侵入を弾性シーリング材１０が一次的に防ぎ、また、このシーリング材１０が切れた場合には、防蟻剤５が侵入を二次的に防ぐ。
【００２５】
図２（ロ）に示す実施形態は、小溝１２ｂを省略したものである。溝１２内には粒状防蟻剤５が充填配置されているので、溝１２内のどの部分にひび割れを生じようと、そのひび割れ部分からのシロアリなどの侵入を防蟻剤５によって防ぐことができる。
【００２６】
以上に、本発明の実施形態を示したが、本発明はこれに限られるものではなく、発明思想を逸脱しない範囲で各種の変更が可能である。例えば、上記の実施形態では、防蟻剤として粒状のものを用いた場合を示しているが、粉状の防蟻剤や、ゼリー状の防蟻剤のほか、固形状、流動状、半流動状などの各種形態の防蟻剤が用いられてよい。要は、溝で保持するのに適した防蟻剤であればよい。また、溝は、強度劣弱溝を含めて、その横断面形状に特段の制限はなく、各種横断面形状の溝に形成されていてよい。また、上記の実施形態では、基礎として、コンクリート布基礎を例示しているが、これに限らず、例えば、鋼製の基礎であってもよいし、束石などであってもよい。要は、土間コンクリートとの関係で継ぎ目を生じる構造部分であればよい。また、上記の実施形態では、弾性シーリング材については、防蟻剤との組み合わせにおいて採用した例を示したが、防蟻剤を用いず弾性シーリング材のみを用いた防蟻構造として構成してもよい。
【００２７】
【発明の効果】
本発明は、以上のとおりのものであるから、土間コンクリートを打ち込んだ後に防蟻処理を行うことができ、しかも、防蟻処理の工事を適正にかつ容易に行うことができる。
【図面の簡単な説明】
【図１】実施形態を示すもので、図（イ）は防蟻構造の断面図、図（ロ）は図（イ）の要部拡大断面図、図（ハ）は他の防蟻構造を示す断面図、図（ニ）は更に他の防蟻構造を示す断面図である。
【図２】更に他の実施形態を示すもので、図（イ）は防蟻構造の断面図、図（ロ）は他の防蟻構造の断面図、図（ハ）は更に他の防蟻構造を示す断面図である。
【符号の説明】
１…コンクリート布基礎（基礎）
２…床下土壌
３…コンクリート土間
４…溝
５…防蟻剤
１０…弾性シーリング材
１２…強度劣弱溝
【図１】
0004633230.tif 000002
【図２】
0004633230.tif 000003